(57)【要約】【課題】従来手法の場合、表示画像が原画像と全く異なる画像に変換されてしまう。【解決手段】各画素に対応する映像信号に最も多く含まれる単色成分を検出する色味情報検出部と、各画素の輝度レベルが変換前に比して低くなるように、各画素に対応する映像信号の色味を色味情報検出部で検出された単色成分の方向にシフトする色変換処理部とを有する消費電力削減装置を提案する。各画素の色味を最も多く含まれる単色方向にシフトすることは、見た目の鮮やかさを増加させる効果を発揮する。従って、各画素の輝度レベルを原画像の輝度レベルより低下させたとしても、輝度の低下が人間の目に視認され難くなる。【選択図】図７
2008046345.tif 000002
【特許請求の範囲】
【請求項１】
各画素に対応する映像信号に最も多く含まれる単色成分を検出する色味情報検出部と、
各画素の輝度レベルが変換前に比して低くなるように、各画素に対応する映像信号の色味を前記色味情報検出部で検出された単色成分の方向にシフトする色変換処理部と
を有することを特徴とする消費電力削減装置。
【請求項２】
請求項１に記載の消費電力削減装置において、
前記色味情報検出部は、
オリジナルの映像信号に対応する第１のグレースケール値と、オリジナルの映像信号に含まれる各単色成分の比率を個別に増加した各映像信号に対応する第２のグレースケール値とを求めるグレースケール変換部と、
前記第１のグレースケール値に対する各単色方向別の前記第２のグレースケール値の比率が最も大きくなる単色方向を検出する比較処理部と
を有することを特徴とする消費電力削減装置。
【請求項３】
請求項１に記載の消費電力削減装置において、
前記色味情報検出部は、
オリジナルの映像信号に対応する第１のグレースケール値と、オリジナルの映像信号に含まれる各単色成分の比率を個別に増加した各映像信号に対応する第２のグレースケール値とを求めるグレースケール変換部と、
前記第１のグレースケール値に最も値の近い前記第２のグレースケール値の単色方向を検出する比較処理部と
を有することを特徴とする消費電力削減装置。
【請求項４】
請求項１に記載の消費電力削減装置において、
前記色味情報検出部は、
オリジナルの映像信号に対応する第１の電流値と、オリジナルの映像信号に含まれる各単色成分の比率を個別に増加した各映像信号に対応する第２の電流値とを求める電流値変換部と、
前記第１の電流値に対する各単色方向別の前記第２の電流値の比率が最も大きい単色方向を決定する比較処理部と
を有することを特徴とする消費電力削減装置。
【請求項５】
請求項１に記載の消費電力削減装置において、
前記色味情報検出部は、
オリジナルの映像信号に対応する第１の電流値と、オリジナルの映像信号に含まれる各単色成分の比率を個別に増加した各映像信号に対応する電流値とを求める電流値変換部と、
前記第１の電流値に最も値の近い前記第２の電流値の単色方向を検出する比較処理部と
を有することを特徴とする消費電力削減装置。
【請求項６】
各画素に対応する映像信号に最も多く含まれる単色成分を検出する色味情報検出部と、
検出された単色成分に基づいて各画素に最も多く含まれる単色成分の方向に、変換前に比して各画素の輝度レベルを低下させながらシフトする色変換処理部と
色変換後の映像信号を入力する自発光表示デバイスと
を有することを特徴とする自発光表示装置。
【請求項７】
各画素に対応する映像信号に最も多く含まれる単色成分を検出する色味情報検出部と、
各画素の輝度レベルが変換前に比して低くなるように、各画素に対応する映像信号の色味を前記色味情報検出部で検出された単色成分の方向にシフトする色変換処理部と
色変換後の映像信号を入力する自発光表示デバイスと
を有することを特徴とする電子機器。
【請求項８】
各画素に対応する映像信号に最も多く含まれる単色成分を検出する処理と、
各画素の輝度レベルが変換前に比して低くなるように、各画素に対応する映像信号の色味を前記処理で検出された単色成分の方向にシフトする処理と
を有することを特徴とする消費電力削減方法。
【請求項９】
コンピュータに、
各画素に対応する映像信号に最も多く含まれる単色成分を検出する処理と、
各画素の輝度レベルが変換前に比して低くなるように、各画素に対応する映像信号の色味を前記処理で検出された単色成分の方向にシフトする処理と
を実行させることを特徴とするコンピュータプログラム。
【発明の詳細な説明】
【技術分野】
【０００１】
この明細書で説明する発明は、視覚上の違和感を最小限に留めつつ、効果的に自発光表示デバイスの消費電力を削減する技術に関する。
なお、発明者らが提案する発明は、消費電力削減装置、自発光表示装置、電子機器、消費電力削減方法及びコンピュータプログラムとしての側面を有する。
【背景技術】
【０００２】
自発光型の表示デバイスには、表示画像に応じて消費電力が変動する特性がある。このため、高輝度画面の表示時には消費電力が高くなり易い。また、自発光型の表示デバイスで消費される電力の増加は、モバイル機器の使用時間の延長を阻害する原因となる。
【０００３】
これらの理由により、自発光型の表示デバイスには更なる低消費電力化が求められている。この技術課題の解決には、例えば発光効率の向上が有効である。しかし、発光効率の向上には、技術の積み上げが必要であり、一般に長期の研究を必要とする。
【０００４】
以下に、現在提案されている消費電力削減技術の一例を示す。
【特許文献１】特開２００４−３６１４９７号公報  この特許文献には、映像データの伝送路上で消費される電力を減色処理により低下させる技術が開示されている。
【０００５】
【特許文献２】特開２００２−１９９０７８号公報  この特許文献には、白背景に黒文字を表示する形態を黒背景に白文字を表示する形態に変換することにより消費電力を低下させる技術が開示されている。
【発明の開示】
【発明が解決しようとする課題】
【０００６】
ところが、特許文献１で削減対象とする伝送路上で消費される電力は元々小さい。このため、消費電力の削減効果が小さい問題がある。
また、特許文献２の場合、消費電力の低減効果の一方で、表示画像が原画像と全く異なる画像に変換される問題がある。
【課題を解決するための手段】
【０００７】
そこで発明者らは、各画素に対応する映像信号に最も多く含まれる単色成分を検出する色味情報検出部と、各画素の輝度レベルが変換前に比して低くなるように、各画素に対応する映像信号の色味を色味情報検出部で検出された単色成分の方向にシフトする色変換処理部とを搭載する消費電力削減装置を提案する。
【０００８】
ここで、各画素の色味を最も多く含まれる単色方向にシフトすることは、見た目の鮮やかさを増加させる効果を発揮する。従って、各画素の輝度レベルを原画像の輝度レベルより低下させたとしても、輝度の低下が人間の目に視認され難くなる。
【発明の効果】
【０００９】
発明者らの提案する技術手法の採用により、表示内容の視認性及び画像情報をできるだけ維持しながらも、自発光表示デバイスにおける消費電力を確実に低下させることができる。
【発明を実施するための最良の形態】
【００１０】
以下、発明に係る消費電力の制御技術を説明する。
なお、本明細書で特に図示又は記載されない部分には、当該技術分野の周知又は公知技術を適用する。
また以下に説明する形態例は、発明の一つの形態例であって、これらに限定されるものではない。
【００１１】
（Ａ）形態例
（Ａ−１）消費電力削減装置の機能構成
図１に、消費電力削減装置１の機能構成例を示す。
消費電力削減装置１は、色味情報検出部３と色変換処理部５で構成される。
【００１２】
（ａ）色味情報検出部の構成及び処理内容
色味情報検出部３は、各画素に対応する映像信号を入力し、各画素の色味に関する情報を検出する処理デバイスである。より具体的には、色味情報検出部３は、各画素に対応する映像信号に最も多く含まれる単色成分を検出する処理デバイスである。
【００１３】
なお、色味は、三刺激値の輝度と共に色を表すパラメータの一つである。すなわち、色味は、色相と彩度（飽和度）に対応する。
色座標の表現方法には様々な方法が発明されている。以下では、ｘｙ色度図を用いて説明する。
【００１４】
ｘｙ色度図は、色に含まれる赤（Ｒ）、緑（Ｇ）、青（Ｂ）の比率を値ｘ、ｙ、ｚで表す場合に、ｘとｙの２つの座標軸で色座標を表現する方式をいう。なお、ｘｙ色度図は、３色のうち２色の比率が分かれば残り１色の比率が決定されることを利用した色座標の表現方法である。
【００１５】
図２に、ｘｙ色度図を示す。図２に表される三角形領域のうち太線で囲まれる三角形領域は、自発光表示デバイス１１で表現可能な色度範囲に対応する。この三角形領域の外縁上に位置する色が、自発光表示デバイス１１で表現可能なスペクトル（単色）に対応する。なお、三角形領域の頂点は、赤（Ｒ）、緑（Ｇ）、青（Ｂ）に対応する。
【００１６】
一方、図２に表される三角形領域のうち細線で囲まれる三角形領域は、入力画像全体（１フレーム全体）の色度範囲である。従って、各画素に対応する入力信号の色度点は、この細線で囲まれる三角形領域のいずれかに位置することになる。図２に示す白丸は、ある画素の色度点を示す。
【００１７】
色味情報検出部３は、画素毎に対応する色度点が太線で囲まれた三角形領域のどの辺りに位置するかを検出する。
この形態例の場合、色味情報検出部３は、グレースケール変換部３１、赤比率増グレースケール変換部３３、緑比率増グレースケール変換部３５、青比率増グレースケール変換部３７及び比較処理部３９で構成される。
【００１８】
グレースケール変換部３１は、入力時の色味に対応するグレースケール値を算出する処理デバイスである。グレースケール値の計算方法には幾つかの方法があるが、ここでは加重平均法を使用する。なお、この形態例の場合、計算用の重み付け係数には近似値を使用する。すなわち、重み付け係数の標準値を以下のように定める。赤用重み付け係数Ｉr 、緑用重み付け係数Ｉg 、青用重み付け係数Ｉb をそれぞれ、０．３、０．６、０．１とする。
【００１９】
この場合において、赤（Ｒ）、緑（Ｇ）、青（Ｂ）に対応する階調値をＲ_n，Ｇ_n，Ｂ_n（ただし、階調値の範囲は０〜２５５の任意の整数とする。）で表すと、グレースケール変換部３１は、グレースケール値Ｌ_grayを次式で計算する。
Ｌ_gray_n＝0.3×Ｒ_n
＋ 0.6×Ｇ_n ＋ 0.1×Ｂ_n 
【００２０】
赤比率増グレースケール変換部３３は、入力時の色味を赤方向にシフトした（赤の比率を増加した）色度点におけるグレースケール値を算出する処理デバイスである。
この形態例の場合、色味シフト用の係数ｐを０．１とする。この場合、赤用重み付け係数Ｉr 、緑用重み付け係数Ｊr 、青用重み付け係数Ｋr をそれぞれ、0.4（＝0.3＋p）、0.55（＝0.6−p/2）、0.05（＝0.1−p/2）とする。
【００２１】
この場合において、赤（Ｒ）、緑（Ｇ）、青（Ｂ）に対応する階調値をＲ_n，Ｇ_n，Ｂ_n（ただし、階調値の範囲は０〜２５５の任意の整数とする。）で表すと、赤比率増グレースケール変換部３３は、グレースケール値Ｌ_redを次式で計算する。
Ｌ_red_n＝0.4×Ｒ_n
＋ 0.55×Ｇ_n ＋ 0.05×Ｂ_n 
【００２２】
緑比率増グレースケール変換部３５は、入力時の色味を緑方向にシフトした（緑の比率を増加した）色度点におけるグレースケール輝度を算出する処理デバイスである。
この形態例の場合、色味シフト用の係数ｐを０．１とする。この場合、赤用重み付け係数Ｉg 、緑用重み付け係数Ｊg 、青用重み付け係数Ｋb をそれぞれ、0.25（＝0.3−p/2）、0.7（＝0.6＋p）、0.05（＝0.1−p/2）とする。
【００２３】
この場合において、赤（Ｒ）、緑（Ｇ）、青（Ｂ）に対応する階調値をＲ_n，Ｇ_n，Ｂ_n（ただし、階調値の範囲は０〜２５５の任意の整数とする。）で表すと、緑比率増グレースケール変換部３５は、グレースケール値Ｌ_greenを次式で計算する。
Ｌ_green_n＝0.25×Ｒ_n
＋ 0.7×Ｇ_n ＋ 0.05×Ｂ_n 
【００２４】
青比率増グレースケール変換部３７は、入力時の色味を緑方向にシフトした（青の比率を増加した）色度点におけるグレースケール輝度を算出する処理デバイスである。
この形態例の場合、色味シフト用の係数ｐを０．１とする。この場合、青用重み付け係数Ｉb 、緑用重み付け係数Ｊb 、青用重み付け係数Ｋb をそれぞれ、0.25（＝0.3−p/2）、0.55（＝0.6−p/2）、0.2（＝0.1＋p）とする。
【００２５】
この場合において、赤（Ｒ）、緑（Ｇ）、青（Ｂ）に対応する階調値をＲ_n，Ｇ_n，Ｂ_n（ただし、階調値の範囲は０〜２５５の任意の整数とする。）で表すと、青比率増グレースケール変換部３７は、グレースケール値Ｌ_blueを次式で計算する。
Ｌ_blue_n
＝0.25 ×Ｒ_n ＋ 0.55×Ｇ_n ＋ 0.2×Ｂ_n 
【００２６】
図３に、以上説明した４種類のグレースケール値の算出式を示す。
比較処理部３９は、算出されたグレースケール値に基づいて、処理対象とする画素に最も多く含まれる単色成分を検出する処理デバイスである。比較処理部３９は、以下の２つの処理により当該機能を実現する。
【００２７】
１つの処理は、オリジナル映像信号のグレースケール値に対する各単色方向別のグレースケール値の比率αＲＥＤ_n，αＧＲＥＥＮ_n，αＢＬＵＥ_nを算出する処理である。図４に、この算出式を示す。
【００２８】
別の一つの処理は、算出された比率の最大値を検出する処理である。比率が大きいということは、グレースケール値（輝度）の算出に寄与する成分比率の変動が小さく済むこと、すなわち最も多く含まれる色成分であることを意味する。
【００２９】
なお、このことはグレースケール値の低下が最も少なく済む方向と表現することもできる。
図５に、この比較処理の結果、緑色方向が選択された状態を示す。比較処理部３９は、検出された単色方向に対応するグレースケール値の比率を色変換処理部５に出力する。
【００３０】
（ｂ）色変換処理部の構成及び処理内容
色変換処理部５は、各画素の輝度レベルが変換前に比して低くなるように、各画素に対応する映像信号の色味を色味情報検出部３で検出された単色方向にシフトする処理デバイスである。
【００３１】
比較処理部３９で緑色方向が選択された場合、色変換処理部５は図６に示す変換動作を実行する。
図中、Ｋ_nは変換係数である。変換係数Ｋ_n＝αn
×ｂ÷２で与えられる。なお、αn は、オリジナルのグレースケール値に対する緑比率増加後のグレースケール値の比（＝Ｌ_green ／Ｌ_gray）である。
【００３２】
この場合、赤（Ｒ）、緑（Ｇ）、青（Ｂ）に対応する階調値Ｒ_n，Ｇ_n，Ｂ_nは、緑色の比率が多くなるように入力時よりも小さい階調値に変換される。
図７に、色変換前後の色度点を示す。色変換により輝度レベルは５０から４５に低下する。
【００３３】
同様に、比較処理部３９で赤色方向が選択された場合、色変換処理部５は図８に示す変換動作を実行する。
図中、Ｋ_nは変換係数である。変換係数Ｋ_n＝αn
×ａ÷２で与えられる。なお、αn は、オリジナルのグレースケール値に対する赤比率増加後のグレースケール値の比（＝Ｌ_red ／Ｌ_gray）である。
【００３４】
この場合、赤（Ｒ）、緑（Ｇ）、青（Ｂ）に対応する階調値Ｒ_n，Ｇ_n，Ｂ_nは、赤色の比率が多くなるように入力時よりも小さい階調値に変換される。
図９に、色変換の前後の色度点を示す。色変換により輝度レベルは５０から４５に低下する。
【００３５】
同様に、比較処理部３９で青色方向が選択された場合、色変換処理部５は図１０に示す変換動作を実行する。
【００３６】
図中、Ｋ_nは変換係数である。変換係数Ｋ_n＝αn
×ｃ÷２で与えられる。なお、αn は、オリジナルのグレースケール値に対する赤比率増加後のグレースケール値の比（＝Ｌ_blue ／Ｌ_gray）である。
【００３７】
この場合、赤（Ｒ）、緑（Ｇ）、青（Ｂ）に対応する階調値Ｒ_n，Ｇ_n，Ｂ_nは、青色の比率が多くなるように入力時よりも小さい階調値に変換される。
図１１に、色変換の前後の色度点を示す。色変換により輝度レベルは５０から４５に低下する。
【００３８】
（Ａ−２）色変換の効果
図１２に、色変換による色度範囲の変化を示す。図１２に示すように、消費電力削減装置１による色変換により、元画像全体の色度範囲は、それぞれ単色方向へと拡大される。この色変換の結果、自発光表示デバイス１１の元画像の表示時よりも色味が強調されて表示されると共に、画面全体の発光輝度が低下される。
【００３９】
変換処理により輝度レベルは全体的に低下するが、各画素の色度点は色味の濃い方にシフトされているので（色が鮮やかになるように変換されているので）、視覚的には輝度低下が知覚されずに済む。
【００４０】
勿論、輝度低下により消費電力の低減効果が発揮される。
以上のように、表示内容の視認性及び画像情報をできるだけ維持しながらも、自発光表示デバイスにおける消費電力を確実に低下させることができる。
【００４１】
（Ｂ）他の形態例
（Ｂ−１）消費電力削減装置の他の構成例
前述の形態例においては、オリジナル映像信号とオリジナル映像信号の各単色成分の比率を個別に増加した映像信号のそれぞれについてグレースケール値を算出し、それらの比率が最も大きくなる単色方向を色変換方向に決定する方法について説明した。
【００４２】
しかし、オリジナル映像信号とオリジナル映像信号の各単色成分の比率を個別に増加した映像信号のそれぞれについてグレースケール値を算出し、オリジナル映像信号について算出されたグレースケール値に対する差分が最も小さくなるグレースケール値の単色方向を色変換方向に決定する方法しても良い。
【００４３】
なお、この場合も、変換処理で使用する係数αn は、決定した単色方向に単色成分を増加した映像信号に対応するグレースケール値とオリジナルの映像信号に対応するグレースケール値との比を算出すれば、形態例と同じ色変換処理を適用できる。
【００４４】
また、輝度成分に対応するグレースケール値と自発光表示デバイス１１で消費される電流量との間には比例関係が成立する。従って、グレースケール値の算出方法と同様の演算処理により映像信号を消費電流値に変換し、変換後の電流値を用いて色変換方向となる単色方向を決定しても良い。
【００４５】
勿論この場合も、オリジナル映像信号に対応する電流値と、オリジナル映像信号の各単色成分の比率を個別に増加した映像信号に対応する電流値との比率が最も大きくなる単色方向を色変換方向に決定する方法が考えられる。
【００４６】
また、オリジナルの映像信号に対応する電流値と、オリジナルの映像信号の各単色成分の比率を個別に増加した映像信号に対応する電流値との差分が最も小さくなる単色方向を色変換方向に決定する方法が考えられる。
【００４７】
（Ｂ−２）実装例
ここでは、前述した消費電力削減装置の電子機器への実装例を説明する。
【００４８】
（ａ）自発光表示装置への実装
前述した消費電力削減装置１は、図１３に示すように、自発光表示装置４１に実装することもできる。
図１３に示す自発光表示装置４１は、表示デバイス４３と消費電力削減装置４５を搭載する。
【００４９】
なお、消費電力削減装置４５は小規模回路にて実現できる。このため、消費電力削減装置４５は、表示デバイス４３に実装されるＩＣ（integrated circuit）等の一部に格納することもできる。
例えば図１４に示すデバイス構造の表示デバイス４３の場合、消費電力削減装置４５は、タイミングジェネレータ５１の一部分に実装することができる。
【００５０】
このように、既存の処理回路の一部に実装すれば、レイアウト変更や実装空間の変更を必要としない。従って、製造コストの面でも効果的である。
なお、図１４に示す表示デバイス４３は、タイミングジェネレータ５１、データドライバ５３、スキャンドライバ５５及び表示パネル５７で構成される。
【００５１】
タイミングジェネレータ５１は、映像信号に含まれるタイミング信号に基づいて画面表示に必要な各種のタイミング信号を発生する処理デバイスである。例えば書き込みパルス等を発生する。
【００５２】
データドライバ５３は、表示パネル５７のデータ線を駆動する回路デバイスである。データドライバ５３は、各画素の発光輝度を指定する階調値をアナログ電圧値に変換し、データ線に供給する動作を実行する。ここでの階調値が消費電力削減装置４５で処理された後の階調値である。
【００５３】
スキャンドライバ５５は、階調値を書き込む水平ラインを線順次に選択する回路デバイスである。この選択信号が前述した書き込みパルスとして、表示パネル５７に出力される。
表示パネル５７は、自発光素子を発光面にマトリクス状に配置した周知の表示デバイスである。
【００５４】
（ｂ）画像処理装置
前述した消費電力削減装置は、図１５に示すように、自発光表示装置６１に映像信号を供給する外部装置としての画像処理装置７１に実装することもできる。
図１５に示す画像処理装置７１は、画像処理部７３と消費電力削減装置７５で構成される。なお、画像処理部７３の処理内容は、画像処理装置７１で実行されるアプリケーションに依存する。
【００５５】
（ｃ）電子機器
前述した消費電力削減装置は、自発光表示装置を搭載する各種の電子機器に搭載することができる。なお、ここでの電子機器は、可搬型であるか据え置き型かを問わない。また、自発光表示装置は必ずしも電子機器に搭載しなくても良い。
【００５６】
（ｃ１）消費電力削減装置
消費電力削減装置は、放送波受信装置に搭載することができる。
図１６に、放送波受信装置の機能構成例を示す。放送波受信装置８１は、表示パネル８３、システム制御部８５、操作部８７、記憶媒体８９、電源９１及びチューナー９３を主要な構成デバイスとする。
【００５７】
なお、システム制御部８５は、例えばマイクロプロセッサで構成される。システム制御部８５は、システム全体の動作を制御する。操作部８７は、機械式の操作子の他、グラフィックユーザーインターフェースも含む。
【００５８】
記憶媒体８９は、表示パネル８３に表示する画像や映像に対応するデータの他、ファームウェアやアプリケーションプログラムの格納領域として用いられる。電源９１は、放送波受信装置８１が可搬型の場合にはバッテリー電源を使用する。勿論、放送波受信装置８１が据え置き型の場合には商用電源を使用する。
【００５９】
チューナー９３は、到来する放送波の中からユーザーの選局した特定チャネルの放送波を選択的に受信する装置である。
この放送波受信装置の構成は、例えばテレビジョン番組受信機、ラジオ番組受信機に適用する場合に用いることができる。
【００６０】
（ｃ２）オーディオ装置
図１７は、再生機としてのオーディオ装置に適用する場合の機能構成例である。
再生機としてのオーディオ装置１０１は、表示パネル１０３、システム制御部１０５、操作部１０７、記憶媒体１０９、電源１１１、オーディオ処理部１１３及びスピーカー１１５を主要な構成デバイスとする。
【００６１】
この場合も、システム制御部１０５は、例えばマイクロプロセッサで構成される。システム制御部１０５は、システム全体の動作を制御する。操作部１０７は、機械式の操作子の他、グラフィックユーザーインターフェースも含む。
【００６２】
記憶媒体１０９は、オーディオデータの他、ファームウェアやアプリケーションプログラムの格納領域である。電源１１１は、オーディオ装置１０１が可搬型の場合にはバッテリー電源を使用する。勿論、オーディオ装置１０１が据え置き型の場合には商用電源を使用する。
【００６３】
オーディオ処理部１１３は、オーディオデータを信号処理する処理デバイスである。圧縮符号化されたオーディオデータの解凍処理も実行される。スピーカー１１５は、再生された音を出力するデバイスである。
【００６４】
なお、オーディオ装置１０１を記録機として用いる場合、スピーカー１１５に替えてマイクロフォンを接続する。この場合、オーディオ処理部１０１は、オーディオデータを圧縮符号化する機能を実現する。
【００６５】
（ｃ３）通信装置
図１８は、通信装置に適用する場合の機能構成例である。通信装置１２１は、表示パネル１２３、システム制御部１２５、操作部１２７、記憶媒体１２９、電源１３１及び通信部１３３を主要な構成デバイスとする。
【００６６】
なお、システム制御部１２５は、例えばマイクロプロセッサで構成される。システム制御部１２５は、システム全体の動作を制御する。操作部１２７は、機械式の操作子の他、グラフィックユーザーインターフェースも含む。
【００６７】
記憶媒体１２９は、表示パネル１２３に表示する画像や映像に対応するデータファイルの他、ファームウェアやアプリケーションプログラムの格納領域として用いられる。電源１３１は、通信装置１２１が可搬型の場合にはバッテリー電源を使用する。勿論、通信装置１２１が据え置き型の場合には商用電源を使用する。
【００６８】
通信部１３３は、他機との間でデータを送受信する無線装置である。この通信装置の構成は、例えば据え置き型の電話機や携帯電話機に適用する場合に用いることができる。
【００６９】
（ｃ４）撮像装置
図１９は、撮像装置に適用する場合の機能構成例である。撮像装置１４１は、表示パネル１４３、システム制御部１４５、操作部１４７、記憶媒体１４９、電源１５１及び撮像部１５３を主要な構成デバイスとする。
【００７０】
なお、システム制御部１４５は、例えばマイクロプロセッサで構成される。システム制御部１４５は、システム全体の動作を制御する。操作部１４７は、機械式の操作子の他、グラフィックユーザーインターフェースも含む。
【００７１】
記憶媒体１４９は、表示パネル１４３に表示する画像や映像に対応するデータファイルの他、ファームウェアやアプリケーションプログラムの格納領域として用いられる。電源１５１は、撮像装置１４１が可搬型の場合にはバッテリー電源を使用する。勿論、撮像装置１４１が据え置き型の場合には商用電源を使用する。
【００７２】
撮像部１５３は、例えばＣＭＯＳセンサーとその出力信号を処理する信号処理部で構成する。この撮像装置の構成は、例えばデジタルカメラ、ビデオカメラ等に適用する場合に用いることができる。
【００７３】
（ｃ５）情報処理装置
図２０は、携帯型の情報処理装置に適用する場合の機能構成例である。情報処理装置１６１は、表示パネル１６３、システム制御部１６５、操作部１６７、記憶媒体１６９及び電源１７１を主要な構成デバイスとする。
【００７４】
なお、システム制御部１６５は、例えばマイクロプロセッサで構成される。システム制御部１６５は、システム全体の動作を制御する。操作部１６７は、機械式の操作子の他、グラフィックユーザーインターフェースも含む。
【００７５】
記憶媒体１６９は、表示パネル１６３に表示する画像や映像に対応するデータファイルの他、ファームウェアやアプリケーションプログラムの格納領域として用いられる。電源１７１は、情報処理装置１６１が可搬型の場合にはバッテリー電源を使用する。勿論、情報処理装置１６１が据え置き型の場合には商用電源を使用する。
【００７６】
この情報処理装置の構成は、例えばゲーム機、電子ブック、電子辞書、コンピュータ等に適用する場合に用いることができる。
【００７７】
（Ｂ−３）自発光表示装置
前述の形態例では、表示デバイスが自発光表示装置であるものとして説明した。
ここでの自発光表示装置には、例えば有機ＥＬディスプレイ装置、無機ＥＬディスプレイ装置、ＦＥＤディスプレイ装置、ＰＤＰディスプレイ装置を適用できる。
【００７８】
（Ｂ−４）グレースケール値
前述の形態例では、変換式を用いて映像信号に対応するグレースケール値を算出する場合について説明した。
しかし、事前に対応関係を登録した変換テーブルを用いることにより、対応するグレースケール値を読み出にしても良い。
勿論、映像信号を電流値に変換する場合にも変換式を用いて算出する場合だけでなく、変換テーブルを用いて対応する値を読み出す方法を適用しても良い。
【００７９】
（Ｂ−５）コンピュータプログラム
前述の形態例で説明した消費電力削減装置は、処理機能の全てをハードウェア又はソフトウェアで実現するだけでなく、ハードウェアとソフトウェアの機能分担により実現することもできる。
【００８０】
（Ｂ−６）その他
前述した形態例には、発明の趣旨の範囲内で様々な変形例が考えられる。また、本明細書の記載に基づいて創作される又は組み合わせられる各種の変形例及び応用例も考えられる。
【図面の簡単な説明】
【００８１】
【図１】消費電力削減装置の機能構成例を示す図である。
【図２】ｘｙ色度図を示す図である。
【図３】オリジナル映像信号に含まれる各単色成分を増加した場合のグレースケール値の算出原理を説明する図である。
【図４】オリジナル映像信号のグレースケール値とその単色成分をそれぞれ増やした場合のグレースケール値の比率を示す図である。
【図５】検出された色味のシフト方向を示す図である。
【図６】色味のシフト方向が緑の場合の色変換処理を示す図である。
【図７】色味のシフト方向が緑の場合の色変換結果を示す図である。
【図８】色味のシフト方向が赤の場合の色変換処理を示す図である。
【図９】色味のシフト方向が赤の場合の色変換結果を示す図である。
【図１０】色味のシフト方向が青の場合の色変換処理を示す図である。
【図１１】色味のシフト方向が青の場合の色変換結果を示す図である。
【図１２】色変換による色域の拡大を説明する図である。
【図１３】消費電力削減装置の実装例を説明する図である。
【図１４】表示デバイスのデバイス構造例を説明する図である。
【図１５】消費電力削減装置の実装例を説明する図である。
【図１６】消費電力削減装置の電子機器への搭載例を説明する図である。
【図１７】消費電力削減装置の電子機器への搭載例を説明する図である。
【図１８】消費電力削減装置の電子機器への搭載例を説明する図である。
【図１９】消費電力削減装置の電子機器への搭載例を説明する図である。
【図２０】消費電力削減装置の電子機器への搭載例を説明する図である。
【符号の説明】
【００８２】
１        消費電力削減装置
３        色味情報検出部
３１      グレースケール変換部
３３      赤比率増グレースケール変換部
３５      緑比率増グレースケール変換部
３７      青比率増グレースケール変換部
３９      比較処理部
５        色変換処理部
１１      自発光表示デバイス
【図１】
2008046345.tif 000003
【図２】
2008046345.tif 000004
【図３】
2008046345.tif 000005
【図４】
2008046345.tif 000006
【図５】
2008046345.tif 000007
【図６】
2008046345.tif 000008
【図７】
2008046345.tif 000009
【図８】
2008046345.tif 000010
【図９】
2008046345.tif 000011
【図１０】
2008046345.tif 000012
【図１１】
2008046345.tif 000013
【図１２】
2008046345.tif 000014
【図１３】
2008046345.tif 000015
【図１４】
2008046345.tif 000016
【図１５】
2008046345.tif 000017
【図１６】
2008046345.tif 000018
【図１７】
2008046345.tif 000019
【図１８】
2008046345.tif 000020
【図１９】
2008046345.tif 000021
【図２０】
2008046345.tif 000022